(57)【特許請求の範囲】
【請求項１】
畳床の上面に畳表を被せる工程と、
断面がほぼＶ字状の成形溝を有するガイドローラと、周縁部の筋引き部が前記成形溝に挿入される筋引きローラとを備え、前記畳床から側方へ張り出した前記畳表の張出し部の基端部を前記ガイドローラと前記筋引きローラとの間に挟み込む工程と、
前記筋引きローラにおける軸方向先端部のガイド面を前記畳床の側面にあてがった状態で、前記ガイドローラ及び前記筋引きローラを共に回転させながらこれらを前記畳床の側面に沿って移動させることにより、前記成形溝と前記筋引き部とが協働して前記畳表の張出し部の基端部に前記畳床の側面に沿った折り筋を付ける工程と、
前記畳表の張出し部を前記折り筋に沿って折り曲げる工程とを行うようにしたことを特徴とする畳表の折り曲げ方法。
【請求項２】
畳床の上面に畳表を被せた状態で、前記畳床から側方へ張り出した前記畳表の張出し部の基端部に、前記畳床の側面に沿った折り筋を付けるためのものであって、
前記畳床の側面に沿って移動される本体と、
この本体に駆動源により回転されるように設けられた駆動軸と、
前記本体に前記駆動軸と平行状態となるように設けられ、ギヤ機構を介して前記駆動軸と共に回転される従動軸と、
この従動軸の先端部に当該従動軸と一体に回転するように設けられ、断面がほぼＶ字状の成形溝を有すると共に、前記畳表の上面に配置されるガイドローラと、
前記駆動軸の先端部に当該駆動軸と一体に回転するように設けられ、周縁部に前記成形溝に下方から挿入される筋引き部を有すると共に、軸方向の端部に前記畳床の側面にあてがわれるガイド面を有する筋引き用ローラとを備え、
前記筋引き用ローラの前記ガイド面を前記畳床の側面にあてがうと共に、前記畳表の張出し部の基端部を前記ガイドローラと前記筋引きローラとの間に挟み込んだ状態で、これらガイドローラ及び筋引きローラを回転させながら前記本体を前記畳床の側面に沿って移動させることにより、前記成形溝と前記筋引き部とが協働して前記畳表の張出し部の基端部に前記畳床の側面に沿った折り筋を付けることを特徴とする畳表用折り筋付け器。
【請求項３】
従動軸は、先端部のガイドローラが筋引きローラに対して近接した状態となる閉鎖位置と、前記ガイドローラが前記筋引きローラに対して退避した開放位置との間で移動可能であることを特徴とする請求項２記載の畳表用折り筋付け器。
【請求項４】
ガイドローラは、軸方向の先端部に、畳表を介して畳床の上面に載せられる支持部を有することを特徴とする請求項２または３記載の畳表用折り筋付け器。
【発明の詳細な説明】
【０００１】
【発明の属する技術分野】
本発明は、畳床に被せられる畳表の折り曲げ方法及び当該方法に用いられる畳表用折り筋付け器に関する。
【０００２】
【発明が解決しようとする課題】
従来より、畳を製造する場合において、畳床に畳表を縫着する場合、畳床に被せられた畳表の長手方向両端部を畳床側へ折り曲げ、畳床の短辺側の側面（框  （かまち）面）において、畳床に畳表を縫い付ける、いわゆる框縫いが行われる。また、畳床の長辺側（幅方向の左右両端部）においては、畳表の縁部に縫い付けられた縁（へり）を畳床の側面側へ折り返し、その折り返した縁を畳床の側面に縫い付ける、いわゆる返し縫いが行われる。このとき、畳表の幅方向の左右両端部は、切断される。一方、柔道場用の畳のように縁なし畳の場合には、畳表の幅方向の左右両端部も畳床の側面側へ折り曲げ、その折り曲げた畳表を畳床の側面に縫い付けることが行われる。
【０００３】
ここで、畳床に被せられた畳表の長手方向両端部を畳床側へ折り曲げる場合には、畳表を構成する、い草の並びに沿って折り曲げることになるため、畳表を畳床の框面に沿って容易に折り曲げることができる。しかしながら、上記縁なし畳を製造する場合において、畳表の幅方向の左右両端部を畳床の側面側へ折り曲げる場合には、畳表を構成するい草の延び方向に対して直交する方向へ折り曲げる必要があるため、畳表を畳床に被せた状態では容易には折り曲げることができない。
【０００４】
そこで、従来では次のような方法により畳表を折り曲げるようにしていた。すなわち、畳表を畳床に被せる前に、まず、対象となる畳床の寸法を計測しておく。この後、畳表に、定規と筋引き用の針を用いて、計測した前記畳床の寸法に合わせて、左右両端部に折り筋を付ける。この後、その折り筋に沿って畳表の左右両端部を折り曲げて折り癖を付け、この畳表を前記畳床の上面に被せてさらに折り曲げる。なおこの後、畳床の短辺側（框面側）において畳表を畳床に縫い付け、次に、畳床の幅方向両側の長辺側において畳表を畳床に縫い付けるようにする。
【０００５】
しかしながら、上記した従来の方法では、次のような欠点があった。すなわち、畳床の寸法を計測し、その寸法に合わせて折り筋を付けるようにしているため、畳表に付ける折り筋の位置を畳床に合わせることは熟練を要する。また、畳床の寸法を計測する作業と、その寸法に合わせて畳表に折り筋を付ける作業と、その折り筋に沿って折り癖を付ける作業と、畳表を畳床の上面に被せてさらに折り曲げる作業とが必要となり、作業が面倒である。さらに、畳表に付けられた折り筋は、単に針先によって筋が付けられるだけであるため、その折り筋に沿って折り曲げる際に折り曲げにくいものであった。
【０００６】
本発明は上記した事情に鑑みてなされたものであり、その第１の目的は、畳床に被せられる畳表を折り曲げる作業を、熟練を要することなく確実に、しかも容易にできる畳表の折り曲げ方法を提供することにある。また、第２の目的は、畳表を折り曲げるために畳表に付ける折り筋を、熟練を要することなく確実に、しかも容易に付けることができ、さらに、折り曲げやすくできる畳表用折り筋付け器を提供することにある。
【０００７】
【課題を解決するための手段】
上記した第１の目的を達成するために、請求項１の畳表の折り曲げ方法は、
畳床の上面に畳表を被せる工程と、
断面がほぼＶ字状の成形溝を有するガイドローラと、周縁部の筋引き部が前記成形溝に挿入される筋引きローラとを備え、前記畳床から側方へ張り出した前記畳表の張出し部の基端部を前記ガイドローラと前記筋引きローラとの間に挟み込む工程と、
前記筋引きローラにおける軸方向先端部のガイド面を前記畳床の側面にあてがった状態で、前記ガイドローラ及び前記筋引きローラを共に回転させながらこれらを前記畳床の側面に沿って移動させることにより、前記成形溝と前記筋引き部とが協働して前記畳表の張出し部の基端部に前記畳床の側面に沿った折り筋を付ける工程と、
前記畳表の張出し部を前記折り筋に沿って折り曲げる工程とを行うようにしたことを特徴とするものである。
【０００８】
上記した方法によれば、畳表を畳床に被せた状態で、ガイドローラと筋引きローラとにより、畳表の張出し部の基端部に畳床の側面に沿って折り筋を付けるようにしているので、畳表に付ける折り筋の位置を畳床に確実にしかも容易に合わせることができる。従って、従来のように畳床の寸法を計測する必要がなく、また、熟練を要することもない。また、畳表を畳床に被せた状態で、畳表に折り筋を付けると共に、その折り筋に沿って折り曲げることができるから、従来のように畳床の寸法を計測し、定規と針で畳表に折り筋を付けるようにしていた場合とは違い、畳表を折り曲げる作業が容易にできる。さらに、畳表に付けられる折り筋は、ガイドローラのＶ字状をなす成形溝と、筋引きローラの筋引き部とにより逆Ｖ字状に成形された状態になるから、単に針先によって筋が付けられるだけの場合に比べて、折り曲げやすい。
【０００９】
請求項２の発明は、上記した第２の目的を達成するために、畳床の上面に畳表を被せた状態で、前記畳床から側方へ張り出した前記畳表の張出し部の基端部に、前記畳床の側面に沿った折り筋を付けるための畳表用折り筋付け器であって、
前記畳床の側面に沿って移動される本体と、
この本体に駆動源により回転されるように設けられた駆動軸と、
前記本体に前記駆動軸と平行状態となるように設けられ、ギヤ機構を介して前記駆動軸と共に回転される従動軸と、
この従動軸の先端部に当該従動軸と一体に回転するように設けられ、断面がほぼＶ字状の成形溝を有すると共に、前記畳表の上面に配置されるガイドローラと、
前記駆動軸の先端部に当該駆動軸と一体に回転するように設けられ、周縁部に前記成形溝に下方から挿入される筋引き部を有すると共に、軸方向の端部に前記畳床の側面にあてがわれるガイド面を有する筋引き用ローラとを備え、
前記筋引き用ローラの前記ガイド面を前記畳床の側面にあてがうと共に、前記畳表の張出し部の基端部を前記ガイドローラと前記筋引きローラとの間に挟み込んだ状態で、これらガイドローラ及び筋引きローラを回転させながら前記本体を前記畳床の側面に沿って移動させることにより、前記成形溝と前記筋引き部とが協働して前記畳表の張出し部の基端部に前記畳床の側面に沿った折り筋を付けることを特徴とする。
【００１０】
この畳表用折り筋付け器を用いて畳表に折り筋を付けるようにすることにより、第１の発明と同様な作用効果を得ることができる。すなわち、畳表を畳床に被せた状態で、ガイドローラと筋引きローラとにより、畳表の張出し部の基端部に畳床の側面に沿って折り筋を付けるようにしているので、畳表に付ける折り筋の位置を畳床に確実にしかも容易に合わせることができる。従って、従来のように畳床の寸法を計測する必要がなく、また、熟練を要することもない。また、畳表を畳床に被せた状態で、畳表に折り筋を付けることができるから、従来のように畳床の寸法を計測し、定規と針で畳表に折り筋を付けるようにしていた場合とは違い、作業が容易にできる。さらに、畳表に付けられる折り筋は、ガイドローラのＶ字状をなす成形溝と、筋引きローラの筋引き部とにより逆Ｖ字状に成形された状態になるから、折り曲げやすい。
【００１１】
請求項３の発明は、上記請求項２の発明において、従動軸は、先端部のガイドローラが筋引きローラに対して近接した状態となる閉鎖位置と、前記ガイドローラが前記筋引きローラに対して退避した開放位置との間で移動可能であることを特徴とする。
従動軸を閉鎖位置に位置させた状態では、ガイドローラと筋引きローラとが近接していて、これらガイドローラと筋引きローラを畳表に対して移動させにくい。そこで、これらガイドローラと筋引きローラを、畳表に対して折り筋を付ける位置まで移動させたり、折り筋を付けた後に畳表から外れた位置へ移動させる際には、従動軸を開放位置に位置させておく。これにより、ガイドローラが筋引きローラに対して退避した位置になるから、それらガイドローラと筋引きローラを容易に移動させることができると共に、畳表の必要のない部分に折り筋や傷を付けたりすることを防止できる。一方、畳表に折り筋を付ける際には、従動軸を閉鎖位置に位置させ、ガイドローラと筋引きローラとで畳表の張出し部の基端部を挟んだ状態とする。
【００１２】
請求項４の発明は、上記請求項２または３の畳表用折り筋付け器において、ガイドローラは、軸方向の先端部に、畳表を介して畳床の上面に載せられる支持部を有することを特徴とする。
ガイドローラの支持部を畳表を介して畳床の上面に載せることにより、その支持部により本体の一端部が支持された状態となるので、畳表に折り筋を付けるために本体を畳床の側面に沿って移動させる際に移動させやすく、作業が容易にできる。
【００１３】
【発明の実施の形態】
以下、本発明の一実施例について図面を参照して説明する。まず、畳表に折り筋を付けるための畳表用折り筋付け器の構成について、図２ないし図５を参照して説明する。畳表用折り筋付け器１の本体２における取付ベース３には、駆動源を構成するモータ４が取り付けられていると共に、このモータ４の上部に位置させてスイッチボックス５が取り付けられている。モータ４は、図示しない減速機を内蔵している。スイッチボックス５には、上部に電源スイッチ６が設けられ、後部（図４で右部）に電気ケーブル７を導出するケーブル導出部８が設けられている。取付ベース３の側部には、側方へ突出する握り部９が設けられている。
【００１４】
取付ベース３の前面側（図４で左部）には第１のギヤケース１０が設けられていて、この第１のギヤケース１０に駆動軸１１の一端部が挿入されている。この駆動軸１１は、ほぼ水平状態にてその第１のギヤケース１０に回転可能に支持されている。この駆動軸１１の一端部は、第１のギヤケース１０の内部において、上記モータ４の回転軸４ａとこれと一体回転するように連結部１２により連結されている。また、駆動軸１１の一端部には、第１のギヤケース１０の内部において、駆動ギヤ１３が当該駆動軸１１と一体回転するように設けられている。
【００１５】
第１のギヤケース１０の左右両側部には、反Ｌ字状をなす一対のブラケット１４がボルト１５により固定状態に取り付けられていて、これら両ブラケット１４に、支点ピン１６を介して第２のギヤケース１７が回動可能に支持されている。この第２のギヤケース１７には従動軸１８の一端部が挿入されていて、この従動軸１８は、その第２のギヤケース１７に回転可能に支持されている。また、従動軸１８の一端部には、第２のギヤケース１７の内部において、従動ギヤ１９が当該従動軸１８と一体回転するように設けられていて、この従動ギヤ１９が上記駆動ギヤ１３と噛み合っている。これら駆動ギヤ１３と従動ギヤ１９とはギヤ機構２０を構成している。この場合、上記モータ４の回転軸４ａが回転されると、この回転軸４ａと共に駆動軸１１が回転すると共に、ギヤ機構２０を介して従動軸１８も回転する。
【００１６】
上記従動軸１８の先端部には、ガイドローラ２１が当該従動軸１８と一体回転するように取着されていて、ナット２２により固定されている。このガイドローラ２１には、断面がほぼＶ字状をなす成形溝２３が形成されていると共に、先端部側に、図１に示すように、後述する畳表２４を介して畳床２５の上面２５ａに載せられる支持部２６が設けられている。また、上記駆動軸１１の先端部には、筋引きローラ２７が当該駆動軸１１と一体回転するように、溶接などにより取着されている。この筋引きローラ２７には、周縁部に上記成形溝２２に挿入される筋引き部２８が設けられていると共に、軸方向の先端部に、図７及び図８に示すように、上記畳床２５の側面２５ｂにあてがわれる平坦なガイド面２９が形成されている。筋引き部２８は、鋭角状をなしている。
【００１７】
上記第１及び第２のギヤケース１０及び１７の左右両側部には、ばね受け部３１，３２が対向する位置に設けられていて、これらばね受け部３１，３２間にそれぞれ圧縮コイルばねからなるばね部材３３が配設されている。これらばね部材３３は、第２のギヤケース１７ひいては従動軸１８を上方へ付勢している。第２のギヤケース１７の上面には、プレート３４がボルト３５により固定状態に取り付けられている。
【００１８】
上記左右一対のブラケット１４の上部には、それぞれ前方へ突出するレバー支持部１４ａが一体に設けられていて、これらレバー支持部１４ａ間にレバー軸３６が掛け渡されている。そして、このレバ−軸３６に、ホルダ３７を介して操作レバー３８が回動可能に設けられている。ホルダ３７には、図４に示すように、第１の押圧面３９と、この第１の押圧面３９と直交する第２の押圧面４０と、これら第１及び第２の押圧面３９，４０間に位置する斜面４１とが形成されている。
【００１９】
ここで、操作レバー３８の回動中心であるレバ−軸３６の中心と第１の押圧面３９までの距離をＬ１とし、レバ−軸３６の中心と第２の押圧面４０までの距離をＬ２とした場合、距離Ｌ１を距離Ｌ２よりも大きくなるように設定している  （Ｌ１＞Ｌ２）。操作レバー３８を、図４に示すように直立位置に位置させた状態では、第１の押圧面３９がばね部材３３の付勢力に抗してプレート３４を押圧することにより、従動軸１８を閉鎖位置に位置させる。この状態では、従動軸１８のガイドローラ２１が駆動軸１１の筋引きローラ２７に対して近接すると共に、従動軸１８が駆動軸１１に対して平行状態となる。また、操作レバー３８を、図５に示すように左側へ横倒しとなる横倒し位置に位置させた状態では、ばね部材３３の付勢力により、プレート３４が第２の押圧面４０に当たるように、従動軸１８が支点ピン１６を中心に上方へ回動されて開放位置に位置される。この状態では、従動軸１８のガイドローラ２１が駆動軸１１の筋引きローラ２７に対して上方へ退避した状態となる。
【００２０】
次に、上記畳表２４の幅方向の左右両端部を、畳床２５の側面に沿って折り曲げる手順について説明する。
まず、図９に示すように、畳表２４は、周知のように、多数本のい草４２を並べて図示しない糸で編んだ構成のものである。このような畳表２４を畳床２５の上面２５ａに被せ、畳表２４の長手方向の両端部を、畳床２５の短辺２５ｃ側の側面（框面）側に折り曲げて、複数本の針４３により畳床２５に固定する。このとき、畳表２４は、い草４２の並び方向に折り曲げることになるため、容易に折り曲げることができる。畳表２４の長手方向の両端部を畳床２５に固定する際に、畳表２４を長手方向にピーンと張った状態とする。
【００２１】
またこのとき、畳表２４の幅方向の左右両端部は、畳床２５の幅方向の両端部から側方へ張り出した状態となる。この張り出した部分を張出し部４４と称する。これら左右の両張出し部４４は、各い草４２の延び方向に突出した部分であるため、畳床２５の側面２５ｂ側には容易には折り曲げることはできない。そこで、本実施例においては、上記した畳表用折り筋付け器１を使用する。なお、この畳表用折り筋付け器１を使用する場合には、電気ケーブル７の先端部の図示しない差込みプラグを、図示しない電源コンセントに差し込んでおく。
【００２２】
まず、畳表用折り筋付け器１の操作レバー３８を、図５及び図６に示すように横倒し位置に位置させ、従動軸１８を開放位置に位置させる。この状態で、駆動軸１１と従動軸１８との間に上記畳表２４の張出し部４４を相対的に挿入させるようにして、駆動軸１１の筋引きローラ２７を、畳表２４の張出し部４４において折り筋を付ける位置まで移動させる。このとき、畳表用折り筋付け器１の本体２は、使用者が握り部９を持って移動させる。
【００２３】
そして、その駆動軸１１の筋引きローラ２７のガイド面２９を、図７に示すように、畳床２５の側面２５ｂにあてがうと共に、操作レバー３８を直立位置に回動させる。操作レバー３８を直立位置に回動させると、従動軸１８が駆動軸１１と平行となる閉鎖位置に位置され、筋引きローラ２７とガイドローラ２１との間で畳表２４の張出し部４４の基端部を挟み込んだ状態となる。このとき、ガイドローラ２１の先端部の支持部２６を、畳表２４を介して畳床２５の上面２５ａに載せた状態とする。
【００２４】
この状態で、電源スイッチ６をオンさせると、モータ４が通電されて駆動される。すると、駆動軸１１が図１中矢印Ａ１方向へ回転すると共に、ギヤ機構２０を介して従動軸１８が同図中矢印Ａ２方向へ回転する。駆動軸１１の矢印Ａ１方向への回転に伴い筋引きローラ２７が同方向へ回転すると共に、従動軸２８の矢印Ａ２方向への回転に伴いガイドローラ２１が同方向へ回転する。使用者は、このように筋引きローラ２７及びガイドローラ２１を回転させながら、握り部９を持って、ガイド面２９を畳床２５の側面２５ｂに沿わせるようにして、本体２を図１中矢印Ａ３方向へ移動させる。これに伴い、ガイドローラ２１の成形溝２３と筋引きローラ２７の筋引き部２８とが協働して、畳表２４の張出し部４４の基端部に畳床２５の側面２５ｂに沿った折り筋４５（図８参照）が付けられるようになる。
【００２５】
このようにして、畳表２４の一方の張出し部４４の基端部に折り筋４５を付けたら、操作レバー３８を横倒し位置に回動させて従動軸１８を開放位置に位置させ、本体２を畳表２４の一方の張出し部４４の外側へ移動させる。この後、その張出し部４４を、上記折り筋４５に沿って畳床２５の側面２５ｂ側へ手で折り曲げて（図８の矢印Ａ４参照）折り癖を付ける。これにより、畳表２４の幅方向の一方の端部を折り曲げることができる。
畳表２４のもう一方の張出し部４４に対しても、上述と同様にして折り筋４５を付け、この後、その折り筋４５に沿って折り曲げることにより、畳表２４の幅方向の他方の端部も折り曲げることができる。
【００２６】
なお、この後、畳表２４の長手方向の両端部を、畳床２５の短辺２５ｃ側において図示しない縫着機により縫い付け、さらにこの後、畳表２４の幅方向の左右両端部を、畳床２５の長辺２５ｄ側において図示しない縫着機により縫い付けることになる。
【００２７】
上記した実施例によれば、次のような効果を得ることができる。
まず、畳表２４の幅方向の左右両端部を、畳床２５の幅方向の左右両端部に沿って折り曲げる際に、畳表２４を畳床２５に被せた状態で、ガイドローラ２１と筋引きローラ２７とにより、畳表２４の張出し部４４の基端部に畳床２５の側面２５ｂに沿って折り筋４５を付けるようにしているので、畳表２４に付ける折り筋４５の位置を畳床２５に確実にしかも容易に合わせることができる。従って、従来のように畳床２５の寸法を計測する必要がなく、また、熟練を要することもない。
【００２８】
また、畳表２４を畳床２５に被せた状態で、畳表２４に折り筋４５を付けると共に、その折り筋４５に沿って折り曲げることができるから、従来のように畳床の寸法を計測し、定規と針で畳表に折り筋を付けるようにしていた場合とは違い、畳表を折り曲げる作業が容易にできる。さらに、畳表２４に付けられる折り筋４５は、ガイドローラ２１のＶ字状をなす成形溝２３と、筋引きローラ２７の筋引き部２８とにより、図８に示すように逆Ｖ字状に成形された状態になるから、単に針先によって筋が付けられるだけの場合に比べて、折り曲げやすい。
【００２９】
また、従動軸１８は駆動軸１１に対して閉鎖位置と開放位置との間で回動可能であり、ガイドローラ２１と筋引きローラ２７を、畳表２４に対して折り筋４５を付ける位置まで移動させたり、折り筋４５を付けた後に畳表２４から外れた位置へ移動させる際には、従動軸１８を開放位置に位置させておくことにより、ガイドローラ２１が筋引きローラ２７に対して上方へ退避した位置になるから、それらガイドローラ２１と筋引きローラ２７を容易に移動させることができると共に、畳表２４の必要のない部分に折り筋４５や傷を付けたりすることを防止できる。しかもこの場合、従動軸１８を閉鎖位置と開放位置との間で移動させる操作を、操作レバー３８の回動とばね部材３３の付勢力とで行うようにしているので、その操作が容易にできる。
【００３０】
さらに、ガイドローラ２１の支持部２６を畳表２４を介して畳床２５の上面２５ａに載せることにより、その支持部２６により本体２の一端部が支持された状態となるので、畳表２４に折り筋４５を付けるために本体２を畳床２５の側面２５ｂに沿って移動させる際に移動させやすく、作業が容易にできる。
【００３１】
本発明は、上記した実施例にのみ限定されるものではなく、次のように変形または拡張することができる。
畳表用折り筋付け器１の本体２を移動させるについて、使用者が握り部９を持って移動させる構成としたが、例えば本体２をレールに沿って自動的に移動させる構成とすることも可能である。
【００３２】
【発明の効果】
以上の説明から明らかなように、請求項１の畳表の折り曲げ方法によれば、畳表を畳床に被せた状態で、ガイドローラと筋引きローラとにより、畳表の張出し部の基端部に畳床の側面に沿って折り筋を付けるようにしているので、畳表に付ける折り筋の位置を畳床に確実にしかも容易に合わせることができる。従って、従来のように畳床の寸法を計測する必要がなく、また、熟練を要することもない。また、畳表を畳床に被せた状態で、畳表に折り筋を付けると共に、その折り筋に沿って折り曲げることができるから、従来のように畳床の寸法を計測し、定規と針で畳表に折り筋を付けるようにしていた場合とは違い、畳表を折り曲げる作業が容易にできる。さらに、畳表に付けられる折り筋は、ガイドローラのＶ字状をなす成形溝と、筋引きローラの筋引き部とにより逆Ｖ字状に成形された状態になるから、単に針先によって筋が付けられるだけの場合に比べて、折り曲げやすい。
【００３３】
請求項２の畳表用折り筋付け器によれば、畳表を畳床に被せた状態で、ガイドローラと筋引きローラとにより、畳表の張出し部の基端部に畳床の側面に沿って折り筋を付けるようにしているので、畳表に付ける折り筋の位置を畳床に確実にしかも容易に合わせることができる。従って、従来のように畳床の寸法を計測する必要がなく、また、熟練を要することもない。また、畳表を畳床に被せた状態で、畳表に折り筋を付けることができるから、従来のように畳床の寸法を計測し、定規と針で畳表に折り筋を付けるようにしていた場合とは違い、作業が容易にできる。さらに、畳表に付けられる折り筋は、ガイドローラのＶ字状をなす成形溝と、筋引きローラの筋引き部とにより逆Ｖ字状に成形された状態になるから、折り曲げやすい。
【図面の簡単な説明】
【図１】本発明の一実施例を示すもので、畳表に折り筋を付ける際の状態を示す斜視図
【図２】畳表用折り筋付け器の斜視図
【図３】正面図
【図４】従動軸を閉鎖位置に位置させた状態の縦断側面図
【図５】従動軸を開放位置に位置させた状態の縦断側面図
【図６】従動軸を開放位置に位置させた状態で、畳表の張出し部を筋引きローラとガイドローラとの間に挿入した状態の縦断側面図
【図７】従動軸を閉鎖位置に位置させた状態での図６相当図
【図８】要部の縦断側面図
【図９】畳床に畳表を被せた状態の斜視図
【符号の説明】
１は畳表用折り筋付け器、２は本体、３は取付ベース、４はモータ（駆動源）、６は電源スイッチ、９は握り部、１１は駆動軸、１３は駆動ギヤ、１６は支点ピン、１８は従動軸、１９は従動ギヤ、２０はギヤ機構、２１はガイドローラ、２３は成形溝、２４は畳表、２５は畳床、２５ａは上面、２５ｂは側面、２６は支持部、２７は筋引きローラ、２８は筋引き部、２９はガイド面、３３はばね部材、３８は操作レバー、３９は第１の押圧面、４０は第２の押圧面、４２はい草、４４は張出し部、４５は折り筋を示す。
【図１】
0004607371.tif 000002
【図２】
0004607371.tif 000003
【図３】
0004607371.tif 000004
【図４】
0004607371.tif 000005
【図５】
0004607371.tif 000006
【図６】
0004607371.tif 000007
【図７】
0004607371.tif 000008
【図８】
0004607371.tif 000009
【図９】
0004607371.tif 000010